(57)【要約】【課題】より確実にレイティングテーブルを更新することができるテレビジョン放送受信装置を提供する。【解決手段】ＲＲＴを当該ＲＲＴのバージョンと対応付けて記憶するＲＲＴデータファイル１４Ａと、ＣＰＵ１２に、ＲＲＴ取得プログラム１４Ｃを実行することにより取得したＲＲＴのバージョンと、ＲＲＴデータファイル１４Ａに記憶されているＲＲＴのバージョンとを比較させるバージョン比較プログラム１４Ｆと、両バージョンが同じであると判断した場合に、取得したＲＲＴの情報と、ＲＲＴデータファイル１４Ａに記憶されているＲＲＴの情報とを比較させる項目比較プログラム１４Ｇ及びレベル比較プログラム１４Ｈと、両情報が一致しないと判断した場合に、ＲＲＴデータファイル１４Ａに記憶されたＲＲＴを、ＲＲＴ取得プログラム１４Ｃを実行することにより取得したＲＲＴに更新させるＲＲＴ更新プログラム１４Ｉと、を備えた。【選択図】図２
2008109469.tif 000002
【特許請求の範囲】
【請求項１】
テレビジョン放送波を受信する受信手段を備え、テレビジョン放送波に含まれる番組のレイティング情報に基づいて視聴制限を行うテレビジョン放送受信装置において、
前記レイティング情報に対応するレイティングテーブルを当該レイティングテーブルのバージョンと対応付けて記憶する記憶手段と、
テレビジョン放送波に含まれる視聴制限用のレイティングテーブルを取得するレイティングテーブル取得手段と、
前記レイティングテーブル取得手段により取得されたレイティングテーブルのバージョンと、前記記憶手段に記憶されているレイティングテーブルのバージョンとを比較するバージョン比較手段と、
前記レイティングテーブル取得手段により取得されたレイティングテーブルのレイティング項目数，レイティング項目名，ブロックタイプと、前記記憶手段により記憶されているレイティングテーブルのレイティング項目数，レイティング項目名，ブロックタイプとを比較する項目比較手段と、
前記レイティングテーブル取得手段により取得されたレイティングテーブルのレベル数，レベル名，レベル名の略称と、前記記憶手段により記憶されているレイティングテーブルのレベル数，レベル名，レベル名の略称とを比較するレベル比較手段と、
前記バージョン比較手段により、前記レイティングテーブル取得手段により取得されたレイティングテーブルのバージョンと、前記記憶手段に記憶されているレイティングテーブルのバージョンとが一致すると判断され、且つ、前記項目比較手段により、前記レイティングテーブル取得手段により取得されたレイティングテーブルのレイティング項目数，レイティング項目名，ブロックタイプと、前記記憶手段により記憶されているレイティングテーブルのレイティング項目数，レイティング項目名，ブロックタイプとが一致しないと判断された場合、又は、前記レベル比較手段により、前記レイティングテーブル取得手段により取得されたレイティングテーブルのレベル数，レベル名，レベル名の略称と、前記記憶手段により記憶されているレイティングテーブルのレベル数，レベル名，レベル名の略称とが一致しないと判断された場合に、前記記憶手段に記憶されたレイティングテーブルを、前記レイティングテーブル取得手段により取得されたレイティングテーブルに更新する更新手段と、
前記更新手段により、前記記憶手段に記憶されたレイティングテーブルが前記レイティングテーブル取得手段により取得されたレイティングテーブルに更新された際に、表示部に更新されたレイティングテーブルに基づくレイティング情報を表示させる表示制御手段と、
前記表示部に表示されたレイティング情報に基づいて視聴制限情報を設定する設定情報を入力するための入力手段と、
を備えることを特徴とするテレビジョン放送受信装置。
【請求項２】
テレビジョン放送波を受信する受信手段を備え、テレビジョン放送波に含まれる番組のレイティング情報に基づいて視聴制限を行うテレビジョン放送受信装置において、
前記レイティング情報に対応するレイティングテーブルを当該レイティングテーブルのバージョンと対応付けて記憶する記憶手段と、
テレビジョン放送波に含まれる視聴制限用のレイティングテーブルを取得するレイティングテーブル取得手段と、
前記レイティングテーブル取得手段により取得されたレイティングテーブルのバージョンと、前記記憶手段に記憶されているレイティングテーブルのバージョンとを比較するバージョン比較手段と、
前記バーション比較手段により、前記レイティングテーブル取得手段により取得されたレイティングテーブルのバージョンと、前記記憶手段に記憶されているレイティングテーブルのバージョンとが同じであると判断された場合に、前記レイティングテーブル取得手段により取得されたレイティングテーブルの情報と、前記記憶手段に記憶されているレイティングテーブルの情報とを比較する情報比較手段と、
前記情報比較手段により、前記レイティングテーブル取得手段により取得されたレイティングテーブルの情報と、前記記憶手段に記憶されているレイティングテーブルの情報とが一致しないと判断された場合に、前記記憶手段に記憶されたレイティングテーブルを、前記レイティングテーブル取得手段により取得されたレイティングテーブルに更新する更新手段と、
を備えることを特徴とするテレビジョン放送受信装置。
【請求項３】
前記情報比較手段は、前記レイティングテーブル取得手段により取得されたレイティングテーブルのレイティング項目数，レイティング項目名，ブロックタイプと、前記記憶手段により記憶されているレイティングテーブルのレイティング項目数，レイティング項目名，ブロックタイプとを比較する項目比較手段を備え、
前記更新手段は、前記項目比較手段により、前記レイティングテーブル取得手段により取得されたレイティングテーブルのレイティング項目数，レイティング項目名，ブロックタイプと、前記記憶手段により記憶されているレイティングテーブルのレイティング項目数，レイティング項目名，ブロックタイプとが一致しないと判断された場合に、前記記憶手段に記憶されたレイティングテーブルを、前記レイティングテーブル取得手段により取得されたレイティングテーブルに更新することを特徴とする請求項２に記載のテレビジョン放送受信装置。
【請求項４】
前記情報比較手段は、前記レイティングテーブル取得手段により取得されたレイティングテーブルのレベル数，レベル名，レベル名の略称と、前記記憶手段により記憶されているレイティングテーブルのレベル数，レベル名，レベル名の略称とを比較するレベル比較手段を備え、
前記更新手段は、前記レベル比較手段により、前記レイティングテーブル取得手段により取得されたレイティングテーブルのレベル数，レベル名，レベル名の略称と、前記記憶手段により記憶されているレイティングテーブルのレベル数，レベル名，レベル名の略称とが一致しないと判断した場合に、前記記憶手段に記憶されたレイティングテーブルを、前記レイティングテーブル取得手段により取得されたレイティングテーブルに更新することを特徴とする請求項２に記載のテレビジョン放送受信装置。
【請求項５】
前記更新手段により、前記記憶手段に記憶されたレイティングテーブルが前記レイティングテーブル取得手段により取得されたレイティングテーブルに更新された際に、表示部に更新されたレイティングテーブルに基づくレイティング情報を表示させる表示制御手段と、
前記表示部に表示されたレイティング情報に基づいて視聴制限情報を設定する設定情報を入力するための入力手段と、
を備えることを特徴とする請求項２〜４の何れか一項に記載のテレビジョン放送受信装置。
【発明の詳細な説明】
【技術分野】
【０００１】
本発明は、テレビジョン放送受信装置に関する。
【背景技術】
【０００２】
従来、暴力的な表現のある番組や猥褻的な表現のある番組を子供が見ないようにするため、放送局側により番組の映像音声データに視聴制限レベルの情報（レイティング情報）を付加し、当該レイティング情報に基づいて、番組の視聴を制限するテレビジョン放送受信装置が知られている（例えば、特許文献１）。また、番組を視聴する際に、当該番組とともに当該番組の視聴制限レベルを表示させるようにしたものも知られている（例えば、特許文献２）。
また、デジタル放送により送信される映像音声データに付加されている様々なテーブル情報を受信した際に、受信したテーブル情報と、既に記憶されているテーブル情報とのバージョンを比較して、バージョンアップされている場合には、当該テーブル情報を更新するものも知られている（例えば、特許文献３）
そして、新たに、従来とは異なるデータ構造のレイティング情報としてレイティングテーブルが放送データに付加されて送信されることとなり、テレビジョン放送受信装置に当該レイティングテーブルに基づいて視聴制限情報を設定できる機能を搭載することが義務付けられることとなった。レイティングテーブルは、放送局毎にバージョンアップが行われる予定であり、レイティングテーブルのバージョン番号は５ビット（０〜３１）の情報で記述されるため、バージョンアップは３２回行うと、バージョン番号が１周することとなる。
【特許文献１】特開２０００−０３２４０４号公報
【特許文献２】特開２０００−１８４３０５号公報
【特許文献３】特開２００４−２５４１３０号公報
【発明の開示】
【発明が解決しようとする課題】
【０００３】
しかしながら、テレビジョン放送受信装置の電源を長期にわたって切っている間に、放送局がレイティングテーブルのバージョンアップを３２回行ってしまって、バージョン番号が１周し、再度テレビジョン放送受信装置の電源をつけた場合には、受信するレイティングテーブルのバージョン番号が電源を切る前に既に記憶しているレイティングテーブルのバージョン番号と一致することとなり、本来は、更新されるべきレイティングテーブルが更新されず、結果として、視聴者が意図した視聴制限を行えないという問題が生じてしまう。
上記特許文献１，２に記載の発明は、単に、レイティング情報に基づいて視聴制限を行うものであるため、上記問題を解決することができない。また、特許文献３に記載の発明は、バージョンを比較することによりテーブル情報の更新を行うので、当該問題を解決することができない。
【０００４】
本発明の課題は、より確実にレイティングテーブルを更新することができるテレビジョン放送受信装置を提供することである。
【課題を解決するための手段】
【０００５】
請求項１に記載の発明は、テレビジョン放送波を受信する受信手段を備え、テレビジョン放送波に含まれる番組のレイティング情報に基づいて視聴制限を行うテレビジョン放送受信装置において、
前記レイティング情報に対応するレイティングテーブルを当該レイティングテーブルのバージョンと対応付けて記憶する記憶手段と、
テレビジョン放送波に含まれる視聴制限用のレイティングテーブルを取得するレイティングテーブル取得手段と、
前記レイティングテーブル取得手段により取得されたレイティングテーブルのバージョンと、前記記憶手段に記憶されているレイティングテーブルのバージョンとを比較するバージョン比較手段と、
前記レイティングテーブル取得手段により取得されたレイティングテーブルのレイティング項目数，レイティング項目名，ブロックタイプと、前記記憶手段により記憶されているレイティングテーブルのレイティング項目数，レイティング項目名，ブロックタイプとを比較する項目比較手段と、
前記レイティングテーブル取得手段により取得されたレイティングテーブルのレベル数，レベル名，レベル名の略称と、前記記憶手段により記憶されているレイティングテーブルのレベル数，レベル名，レベル名の略称とを比較するレベル比較手段と、
前記バージョン比較手段により、前記レイティングテーブル取得手段により取得されたレイティングテーブルのバージョンと、前記記憶手段に記憶されているレイティングテーブルのバージョンとが一致すると判断され、且つ、前記項目比較手段により、前記レイティングテーブル取得手段により取得されたレイティングテーブルのレイティング項目数，レイティング項目名，ブロックタイプと、前記記憶手段により記憶されているレイティングテーブルのレイティング項目数，レイティング項目名，ブロックタイプとが一致しないと判断された場合、又は、前記レベル比較手段により、前記レイティングテーブル取得手段により取得されたレイティングテーブルのレベル数，レベル名，レベル名の略称と、前記記憶手段により記憶されているレイティングテーブルのレベル数，レベル名，レベル名の略称とが一致しないと判断された場合に、前記記憶手段に記憶されたレイティングテーブルを、前記レイティングテーブル取得手段により取得されたレイティングテーブルに更新する更新手段と、
前記更新手段により、前記記憶手段に記憶されたレイティングテーブルが前記レイティングテーブル取得手段により取得されたレイティングテーブルに更新された際に、表示部に更新されたレイティングテーブルに基づくレイティング情報を表示させる表示制御手段と、
前記表示部に表示されたレイティング情報に基づいて視聴制限情報を設定する設定情報を入力するための入力手段と、
を備えることを特徴としている。
【０００６】
請求項２に記載の発明は、テレビジョン放送波を受信する受信手段を備え、テレビジョン放送波に含まれる番組のレイティング情報に基づいて視聴制限を行うテレビジョン放送受信装置において、
前記レイティング情報に対応するレイティングテーブルを当該レイティングテーブルのバージョンと対応付けて記憶する記憶手段と、
テレビジョン放送波に含まれる視聴制限用のレイティングテーブルを取得するレイティングテーブル取得手段と、
前記レイティングテーブル取得手段により取得されたレイティングテーブルのバージョンと、前記記憶手段に記憶されているレイティングテーブルのバージョンとを比較するバージョン比較手段と、
前記バーション比較手段により、前記レイティングテーブル取得手段により取得されたレイティングテーブルのバージョンと、前記記憶手段に記憶されているレイティングテーブルのバージョンとが同じであると判断された場合に、前記レイティングテーブル取得手段により取得されたレイティングテーブルの情報と、前記記憶手段に記憶されているレイティングテーブルの情報とを比較する情報比較手段と、
前記情報比較手段により、前記レイティングテーブル取得手段により取得されたレイティングテーブルの情報と、前記記憶手段に記憶されているレイティングテーブルの情報とが一致しないと判断された場合に、前記記憶手段に記憶されたレイティングテーブルを、前記レイティングテーブル取得手段により取得されたレイティングテーブルに更新する更新手段と、
を備えることを特徴としている。
【０００７】
請求項３に記載の発明は、請求項２に記載のテレビジョン放送受信装置において、
前記情報比較手段は、前記レイティングテーブル取得手段により取得されたレイティングテーブルのレイティング項目数，レイティング項目名，ブロックタイプと、前記記憶手段により記憶されているレイティングテーブルのレイティング項目数，レイティング項目名，ブロックタイプとを比較する項目比較手段を備え、
前記更新手段は、前記項目比較手段により、前記レイティングテーブル取得手段により取得されたレイティングテーブルのレイティング項目数，レイティング項目名，ブロックタイプと、前記記憶手段により記憶されているレイティングテーブルのレイティング項目数，レイティング項目名，ブロックタイプとが一致しないと判断された場合に、前記記憶手段に記憶されたレイティングテーブルを、前記レイティングテーブル取得手段により取得されたレイティングテーブルに更新することを特徴としている。
【０００８】
請求項４に記載の発明は、請求項２に記載のテレビジョン放送受信装置において、
前記情報比較手段は、前記レイティングテーブル取得手段により取得されたレイティングテーブルのレベル数，レベル名，レベル名の略称と、前記記憶手段により記憶されているレイティングテーブルのレベル数，レベル名，レベル名の略称とを比較するレベル比較手段を備え、
前記更新手段は、前記レベル比較手段により、前記レイティングテーブル取得手段により取得されたレイティングテーブルのレベル数，レベル名，レベル名の略称と、前記記憶手段により記憶されているレイティングテーブルのレベル数，レベル名，レベル名の略称とが一致しないと判断した場合に、前記記憶手段に記憶されたレイティングテーブルを、前記レイティングテーブル取得手段により取得されたレイティングテーブルに更新することを特徴としている。
【０００９】
請求項５に記載の発明は、請求項２〜４の何れか一項に記載のテレビジョン放送受信装置において、
前記更新手段により、前記記憶手段に記憶されたレイティングテーブルが前記レイティングテーブル取得手段により取得されたレイティングテーブルに更新された際に、表示部に更新されたレイティングテーブルに基づくレイティング情報を表示させる表示制御手段と、
前記表示部に表示されたレイティング情報に基づいて視聴制限情報を設定する設定情報を入力するための入力手段と、
を備えることを特徴としている。
【発明の効果】
【００１０】
請求項１に記載の発明によれば、記憶手段により、レイティング情報に対応するレイティングテーブルが当該レイティングテーブルのバージョンと対応付けられて記憶され、レイティングテーブル取得手段により、テレビジョン放送波に含まれる視聴制限用のレイティングテーブルが取得され、バージョン比較手段により、レイティングテーブル取得手段により取得されたレイティングテーブルのバージョンと、記憶手段に記憶されているレイティングテーブルのバージョンとが比較され、更新手段により、バージョン比較手段によって、レイティングテーブル取得手段によって取得されたレイティングテーブルのバージョンと、記憶手段に記憶されているレイティングテーブルのバージョンとが一致すると判断され、且つ、項目比較手段によって、レイティングテーブル取得手段によって取得されたレイティングテーブルのレイティング項目数，レイティング項目名，ブロックタイプと、記憶手段に記憶されているレイティングテーブルのレイティング項目数，レイティング項目名，ブロックタイプとが一致しないと判断された場合、又は、レベル比較手段によって、レイティングテーブル取得手段によって取得されたレイティングテーブルのレベル数，レベル名，レベル名の略称と、記憶手段に記憶されているレイティングテーブルのレベル数，レベル名，レベル名の略称とが一致しないと判断された場合に、記憶手段に記憶されたレイティングテーブルが、レイティングテーブル取得手段により取得されたレイティングテーブルに更新されるので、テレビジョン放送受信装置の電源を長期にわたって切っている間に、レイティングテーブルが更新されて、バージョン番号が１周してしまった場合でも、レイティングテーブルを更新することができることとなって、より確実にレイティングテーブルを更新することができる。
【００１１】
また、情報比較手段に備えられる項目比較手段により、レイティングテーブル取得手段によって取得されたレイティングテーブルのレイティング項目数，レイティング項目名，ブロックタイプと、記憶手段に記憶されているレイティングテーブルのレイティング項目数，レイティング項目名，ブロックタイプとが比較され、更新手段は、項目比較手段により、レイティングテーブル取得手段によって取得されたレイティングテーブルのレイティング項目数，レイティング項目名，ブロックタイプと、記憶手段に記憶されているレイティングテーブルのレイティング項目数，レイティング項目名，ブロックタイプとが一致しないと判断された場合に、記憶手段に記憶されたレイティングテーブルを、レイティングテーブル取得手段により取得されたレイティングテーブルに更新するので、レイティングテーブルの項目に関するデータが更新された場合にも、レイティングテーブルを更新することができる。
【００１２】
また、情報比較手段に備えられるレベル比較手段により、レイティングテーブル取得手段によって取得されたレイティングテーブルのレベル数，レベル名，レベル名の略称と、記憶手段に記憶されているレイティングテーブルのレベル数，レベル名，レベル名の略称とが比較され、更新手段は、レベル比較手段により、レイティングテーブル取得手段によって取得されたレイティングテーブルのレベル数，レベル名，レベル名の略称と、記憶手段に記憶されているレイティングテーブルのレベル数，レベル名，レベル名の略称とが一致しないと判断した場合に、記憶手段に記憶されたレイティングテーブルを、レイティングテーブル取得手段により取得されたレイティングテーブルに更新するので、レイティングテーブルのレイティングレベルに関するデータが更新された場合にも、レイティングテーブルを更新することができる。
【００１３】
また、表示制御手段により、更新手段によって、記憶手段に記憶されたレイティングテーブルがレイティングテーブル取得手段により取得されたレイティングテーブルに更新された際に、表示部に更新されたレイティングテーブルに基づくレイティング情報が表示され、入力手段により、表示部に表示されたレイティング情報に基づいて視聴制限情報を設定する設定情報が入力されるので、レイティングテーブルが更新されると、ユーザがなんら操作することなく、更新されたレイティングテーブルに基づくレイティング情報が表示部に表示されることとなり、当該表示において、視聴制限情報を設定することができるので、より使い勝手がよい。
【００１４】
請求項２に記載の発明によれば、記憶手段により、レイティング情報に対応するレイティングテーブルが当該レイティングテーブルのバージョンと対応付けられて記憶され、レイティングテーブル取得手段により、テレビジョン放送波に含まれる視聴制限用のレイティングテーブルが取得され、バージョン比較手段により、レイティングテーブル取得手段により取得されたレイティングテーブルのバージョンと、記憶手段に記憶されているレイティングテーブルのバージョンとが比較され、情報比較手段により、バーション比較手段によって、レイティングテーブル取得手段によって取得されたレイティングテーブルのバージョンと、記憶手段に記憶されているレイティングテーブルのバージョンとが同じであると判断された場合に、レイティングテーブル取得手段によって取得されたレイティングテーブルの情報と、記憶手段に記憶されているレイティングテーブルの情報とが比較され、更新手段により、情報比較手段によって、レイティングテーブル取得手段によって取得されたレイティングテーブルの情報と、記憶手段に記憶されているレイティングテーブルの情報とが一致しないと判断された場合に、記憶手段に記憶されたレイティングテーブルが、レイティングテーブル取得手段により取得されたレイティングテーブルに更新されるので、テレビジョン放送受信装置の電源を長期にわたって切っている間に、レイティングテーブルが更新されて、バージョン番号が１周してしまった場合でも、レイティングテーブルを更新することができることとなって、より確実にレイティングテーブルを更新することができる。
【００１５】
請求項３に記載の発明によれば、請求項２に記載の発明と同様の効果が得られることは勿論のこと、特に、情報比較手段に備えられる項目比較手段により、レイティングテーブル取得手段によって取得されたレイティングテーブルのレイティング項目数，レイティング項目名，ブロックタイプと、記憶手段に記憶されているレイティングテーブルのレイティング項目数，レイティング項目名，ブロックタイプとが比較され、更新手段は、項目比較手段により、レイティングテーブル取得手段によって取得されたレイティングテーブルのレイティング項目数，レイティング項目名，ブロックタイプと、記憶手段に記憶されているレイティングテーブルのレイティング項目数，レイティング項目名，ブロックタイプとが一致しないと判断された場合に、記憶手段に記憶されたレイティングテーブルを、レイティングテーブル取得手段により取得されたレイティングテーブルに更新するので、レイティングテーブルの項目に関するデータが更新された場合にも、レイティングテーブルを更新することができる。
【００１６】
請求項４に記載の発明によれば、請求項２に記載の発明と同様の効果が得られることは勿論のこと、特に、情報比較手段に備えられるレベル比較手段により、レイティングテーブル取得手段によって取得されたレイティングテーブルのレベル数，レベル名，レベル名の略称と、記憶手段に記憶されているレイティングテーブルのレベル数，レベル名，レベル名の略称とが比較され、更新手段は、レベル比較手段により、レイティングテーブル取得手段によって取得されたレイティングテーブルのレベル数，レベル名，レベル名の略称と、記憶手段に記憶されているレイティングテーブルのレベル数，レベル名，レベル名の略称とが一致しないと判断した場合に、記憶手段に記憶されたレイティングテーブルを、レイティングテーブル取得手段により取得されたレイティングテーブルに更新するので、レイティングテーブルのレイティングレベルに関するデータが更新された場合にも、レイティングテーブルを更新することができる。
【００１７】
請求項５に記載の発明によれば、請求項２〜４の何れか一項に記載の発明と同様の効果が得られることは勿論のこと、特に、表示制御手段により、更新手段によって、記憶手段に記憶されたレイティングテーブルがレイティングテーブル取得手段により取得されたレイティングテーブルに更新された際に、表示部に更新されたレイティングテーブルに基づくレイティング情報が表示され、入力手段により、表示部に表示されたレイティング情報に基づいて視聴制限情報を設定する設定情報が入力されるので、レイティングテーブルが更新されると、ユーザがなんら操作することなく、更新されたレイティングテーブルに基づくレイティング情報が表示部に表示されることとなり、当該表示において、視聴制限情報を設定することができるので、より使い勝手がよい。
【発明を実施するための最良の形態】
【００１８】
以下、図を参照して、本発明に係るテレビジョン放送受信装置を実施するための最良の形態を詳細に説明する。
【００１９】
まず、本発明に係るテレビジョン放送受信装置１００の構成について図１，図２を参照しながら説明する。本実施形態に係るテレビジョン放送受信装置１００は、例えば、図１，図２に示すように、アンテナ１，チューナ部２，復調部３，デコーダ４，検出部５，音声処理部６，映像処理部７，音出力部８，表示部９，リモコン受信回路１０，リモコンＲ，制御部１１等を備えて構成されている。
【００２０】
アンテナ１は、例えば、パラボラアンテナやＵＨＦアンテナ等であり、地上波アナログ放送，地上波デジタル放送，ＢＳ・ＣＳ放送等のテレビジョン放送信号を含む放送波を受信し、地上波アナログ信号，地上波デジタル信号，ＢＳ・ＣＳ放送信号等のＲＦ信号をチューナ部２に出力する。これにより、アンテナ１は、受信手段として機能する。なお、ＣＡＴＶ回線を介して放送波を受信する場合には、接続ケーブル（図示省略）等が備えられてもよい。
【００２１】
チューナ部２は、ミキサ（図示省略），選局回路（図示省略），Ａ／Ｄ変換回路（図示省略）等を備えて構成され、ミキサ，選局回路等により、アンテナ１から入力されたＲＦ信号が、ユーザが所望するチャンネルのＩＦ（Intermediate  Frequency）信号に変換され、Ａ／Ｄ変換回路により、生成されたＩＦ信号がデジタルデータに変換される。
【００２２】
復調部３は、例えば、チューナ部２から入力されるデジタルデータに復調処理等を行って、デコーダ４に出力する。
【００２３】
デコーダ４は、例えば、復調部３から入力されるデジタルデータに復号処理等を行って番組の映像音声データ（映像データ及び音声データ）とレイティング情報とを生成し、検出部５に出力する。ここで、レイティング情報とは、番組の視聴制限レベルに関する情報である。
より具体的には、従来のレイティング情報としては、例えば、ＭＰＡＡ（Motion  Picture  Association  of  America）により定められるもの、TV  Parental  Guidelinesにより定められるもの等が知られている。そして、これらのレイティング情報は、例えば、年齢により各番組の視聴制限レベルを表すものと、番組の内容により各番組の視聴制限レベルを表すものとがある。
また、新たに、デジタル放送に特有のレイティング情報（例えば、米国における、V-Chip2,0など）としてレイティングテーブルが制定された。レイティングテーブルとしては、例えば、ＲＲＴ（Rating  Region  Table）が挙げられる。ＲＲＴは、例えば、図３に示すように、従来のレイティング情報とは異なり、番組のジャンル等により定められるレイティング項目（例えば、ニュース、映画等のジャンルなど）と、各レイティング項目毎に定められるレイティングレベルと、により、各番組の視聴制限レベルを表す。
また、ＲＲＴでは、各レイティング項目毎に、視聴制限の方法（ブロックタイプ）が定められている。ブロックタイプがオーダーという場合は、指定したレイティングレベル以上のレベルは全て視聴制限され、ブロックタイプがカテゴリという場合は、指定したレイティングレベルのみが視聴制限されるようになっている。また、ブロックタイプがオーダーである場合のレイティングレベルは、例えば、従来のアナログ放送に使用されている年齢により表されるレイティングレベルと同様のものである。また、ブロックタイプがカテゴリである場合のレイティングレベルは、例えば、従来のアナログ放送に使用されている番組の内容により表されるレイティングレベルと同様のものである。
また、ＲＲＴは、例えば、放送局毎に更新されるため、ＲＲＴ名及びバージョン番号（図３におけるバージョンＮｏ．）により識別されるようになっている。
【００２４】
検出部５は、制御部１３から入力される制御信号により制御されて、デコーダ４から出力される復号化データからレイティング情報を検出する。
【００２５】
音声処理部６は、例えば、ミュート回路（図示省略）等を備えて構成され、制御部１３から入力される制御信号により制御されて、デコーダ４から出力される音声データに対して、ミュート処理等を行う。
【００２６】
映像処理部７は、例えば、ミュート回路（図示省略）等を備えて構成され、制御部１３から入力される制御信号により制御されて、デコーダ４から出力される映像データに対して、ミュート処理等を行う。また、映像処理部７は、例えば、制御部１３から入力される制御信号により制御されて、表示部９にレイティング情報を表示させるためのＯＳＤ表示データをデコーダ４から出力される映像データに合成する。
【００２７】
音出力部８は、例えば、スピーカ等を備えて構成され、音声処理部６から出力される音声データに基づく音声を出力する。
【００２８】
表示部９は、例えば、ＬＣＤ（Liquid  Crystal  Display）やＰＤＰ（Plasma  Display  Panel）等を備えて構成され、映像処理部７から出力される映像データに基づく映像を表示する。
【００２９】
リモコン受信回路１０は、例えば、リモコンＲから出力された操作信号を制御部１１に出力する。より具体的には、リモコン受信回路１０は、リモコンＲからの赤外線信号を電気信号に変換し、制御部１１に出力する。
【００３０】
リモコンＲは、例えば、各種の操作信号を入力するための各種のキー等を備え、ユーザにより操作されることによって、各種の操作信号をリモコン受信回路１０を介して制御部１１に出力する。
より具体的には、リモコンＲは、例えば、表示部９にレイティング情報が表示されている際に、当該レイティング情報に基づいて視聴制限情報を設定する設定情報を入力し、入力手段として機能する。
【００３１】
制御部１１は、例えば、図２に示すように、ＣＰＵ（Central  Processing  Unit）１２，ＲＡＭ（Random  Access  Memory）１３，記憶部１４等を備えて構成される。
【００３２】
ＣＰＵ１２は、例えば、記憶部１４に格納された処理プログラム等を読み出して、ＲＡＭ１３に展開して実行することにより、テレビジョン放送受信装置１００全体の制御を行う。
【００３３】
ＲＡＭ１３は、ＣＰＵ１２により実行された処理プログラム等を、ＲＡＭ１３内のプログラム格納領域に展開するとともに、入力データや上記処理プログラムが実行される際に生じる処理結果等をデータ格納領域に格納する。
【００３４】
記憶部１４は、例えば、プログラムやデータ等が予め記憶されている記録媒体（図示せず）を有しており、この記録媒体は、例えば、半導体メモリ等で構成されている。また、記憶部１４は、ＣＰＵ１２がテレビジョン放送受信装置１００全体を制御する機能を実現させるための各種データ，各種処理プログラム，これらプログラムの実行により処理されたデータ等を記憶する。より具体的には、記憶部１４は、例えば、図２に示すように、ＲＲＴデータファイル１４Ａ，視聴制限データファイル１４Ｂ，ＲＲＴ取得プログラム１４Ｃ，ＣＨ切替判断プログラム１４Ｄ，番組切替判断プログラム１４Ｅ，バージョン比較プログラム１４Ｆ，項目比較プログラム１４Ｇ，レベル比較プログラム１４Ｈ，ＲＲＴ更新プログラム１４Ｉ，表示制御プログラム１４Ｊ等を格納している。
【００３５】
ＲＲＴデータファイル１４Ａは、例えば、テレビジョン放送波に含まれるレイティング情報に対応するレイティングテーブルとしてのＲＲＴを記憶している。より具体的には、ＲＲＴデータファイル１４Ａは、ＲＲＴとＲＲＴのバージョンとを対応付けて記憶している。記憶部１４は、かかるＲＲＴデータファイル１４Ａを格納することにより、記憶手段として機能する。
【００３６】
視聴制限データファイル１４Ｂは、例えば、リモコンＲから入力される視聴制限情報を記憶している。テレビジョン放送受信装置１００では、視聴制限データファイル１４Ｂに記憶されている視聴制限情報に基づいて、視聴制限が行われるようになっている。
【００３７】
ＲＲＴ取得プログラム１４Ｃは、例えば、ＣＰＵ１２に、検出部５を制御して、ＲＲＴを検出させ、検出されたＲＲＴを取得する機能を実現させるプログラムである。ＣＰＵ１２は、かかるＲＲＴ取得プログラム１４Ｃを実行することにより、レイティングテーブル取得手段として機能する。
【００３８】
ＣＨ切替判断プログラム１４Ｄは、例えば、ＣＰＵ１２に、リモコンＲから入力されるチャンネル切替を指示する操作信号の有無に基づいて、チャンネルが切り替えられたか否かを判断する機能を実現させるプログラムである。
【００３９】
番組切替判断プログラム１４Ｅは、例えば、ＣＰＵ１２に、テレビジョン放送波に含まれる番組情報を参照して、番組が切り替えられたか否かを判断する機能を実現させるプログラムである。
【００４０】
バージョン比較プログラム１４Ｆは、例えば、ＣＰＵ１２に、ＲＲＴ取得プログラム１４Ｃを実行することにより取得したＲＲＴのバージョンと、ＲＲＴデータファイル１４Ａに記憶されているＲＲＴのバージョンとが一致するか否かを判断する機能を実現させるプログラムである。ＣＰＵ１２は、かかるバージョン比較プログラム１４Ｆを実行することにより、バージョン比較手段として機能する。
【００４１】
項目比較プログラム１４Ｇは、例えば、ＣＰＵ１２に、バージョン比較プログラム１４Ｆを実行することにより、ＲＲＴ取得プログラム１４Ｃを実行することにより取得したＲＲＴのバージョンと、ＲＲＴデータファイル１４Ａに記憶されているＲＲＴのバージョンとが一致すると判断した場合に、ＲＲＴ取得プログラム１４Ｃを実行することにより取得したＲＲＴのレイティング項目，レイティング項目名，ブロックタイプと、ＲＲＴデータファイル１４Ａに記憶されているＲＲＴのレイティング項目，レイティング項目名，ブロックタイプとが一致するか否かを判断する機能を実現させるプログラムである。ＣＰＵ１２は、かかる項目比較プログラム１４Ｇを実行することにより、項目比較手段及び情報比較手段として機能する。
【００４２】
レベル比較プログラム１４Ｈは、例えば、ＣＰＵ１２に、バージョン比較プログラム１４Ｆを実行することにより、ＲＲＴ取得プログラム１４Ｃを実行することにより取得したＲＲＴのバージョンと、ＲＲＴデータファイル１４Ａに記憶されているＲＲＴのバージョンとが一致すると判断した場合に、ＲＲＴ取得プログラム１４Ｃを実行することにより取得したＲＲＴのレベル数，レベル名，レベル名の略称と、ＲＲＴデータファイル１４Ａに記憶されているＲＲＴのレベル数，レベル名，レベル名の略称とが一致するか否かを判断する機能を実現させるプログラムである。ＣＰＵ１２は、かかるレベル比較プログラム１４Ｈを実行することにより、レベル比較手段及び情報比較手段として機能する。
【００４３】
ＲＲＴ更新プログラム１４Ｉは、例えば、ＣＰＵ１２に、バージョン比較プログラム１４Ｆを実行することにより、ＲＲＴ取得プログラム１４Ｃを実行することにより取得したＲＲＴのバージョンと、ＲＲＴデータファイル１４Ａに記憶されているＲＲＴのバージョンとが一致しないと判断した場合に、ＲＲＴデータファイル１４Ａに記憶されたＲＲＴを、ＲＲＴ取得プログラム１４Ｃを実行することにより取得したＲＲＴに更新する機能を実現させるプログラムである。
また、ＲＲＴ更新プログラム１４Ｉは、例えば、ＣＰＵ１２に、バージョン比較プログラム１４Ｆを実行することにより、ＲＲＴ取得プログラム１４Ｃを実行することにより取得したＲＲＴのバージョンと、ＲＲＴデータファイル１４Ａに記憶されているＲＲＴのバージョンとが一致すると判断され、項目比較プログラム１４Ｇを実行することにより、ＲＲＴ取得プログラム１４Ｃを実行することにより取得したＲＲＴのレイティング項目数，レイティング項目名，ブロックタイプと、ＲＲＴデータファイル１４Ａにより記憶されているＲＲＴのレイティング項目数，レイティング項目名，ブロックタイプとが一致しないと判断された場合、又は、レベル比較プログラム１４Ｈにより、ＲＲＴ取得プログラム１４Ｃを実行することにより取得したＲＲＴのレベル数，レベル名，レベル名の略称と、ＲＲＴデータファイル１４Ａにより記憶されているＲＲＴのレベル数，レベル名，レベル名の略称とが一致しないと判断された場合に、ＲＲＴデータファイル１４Ａに記憶されたＲＲＴを、ＲＲＴ取得プログラム１４Ｃを実行することにより取得したＲＲＴに更新する機能を実現させるプログラムである。
ＣＰＵ１２は、かかるＲＲＴ更新プログラム１４Ｉを実行することにより、更新手段として機能する。
【００４４】
表示制御プログラム１４Ｊは、例えば、ＣＰＵ１２に、ＲＲＴ更新プログラム１４Ｉを実行することにより、ＲＲＴデータファイル１４Ａが更新された際に、表示部９を制御して、更新されたＲＲＴデータファイル１４Ａに記憶されているＲＲＴに基づくレイティング情報を表示させる機能を実現させるプログラムである。ＣＰＵ１２は、かかる表示制御プログラム１４Ｊを実行することにより、表示制御手段として機能する。
【００４５】
ＣＰＵ１２が、表示制御プログラム１４Ｊを実行することにより表示部９に表示されるレイティング情報の一例を図４に示す。図４（ａ）では、ＲＲＴのＲＲＴ名，レイティング項目、及び、各種操作ボタンが表示されている。そして、例えば、図４（ａ）に示す表示画面においてリモコンＲの矢印キー（図示省略）を押下して所望のレイティング項目を選択し決定キー（図示省略）を押下することにより、視聴制限設定を行うレイティング項目を選択できるようになっている。
図４（ａ）に示す表示画面において、リモコンＲから視聴制限設定を行うレイティング項目を選択する操作信号が入力されると、例えば、図４（ｂ）に示す表示画面に切り換わるようになっている。図４（ｂ）では、図４（ａ）において選択されたレイティング項目名（例えば、ＴＶ−ＡＡ：映画），当該レイティング項目において設定できるレイティングレベル、及び、各種操作ボタンが表示されている。そして、例えば、図４（ｂ）に示す表示画面においてリモコンＲの矢印キー（図示省略）を押下して所望のレイティングレベルを選択し決定キー（図示省略）を押下することにより、視聴制限を行うレイティングレベルを選択できるようになっている。また、図４（ｂ）に示す表示画面において、リモコンＲから視聴制限を行うレイティングレベルを選択する操作信号が入力されると、例えば、選択されたレイティングレベルの横に鍵穴マークが表示されるようになっている。ここで、例えば、図４（ａ）において選択されたレイティング項目：ＴＶ−ＡＡ（例えば、映画）のブロックタイプはオーダーとなっているので、図４（ｂ）に示す表示画面において、リモコンＲから視聴制限を行うレイティングレベルとして選択されたレイティングレベル：ＹＹＹ以上のレイティングレベル全てに鍵穴マークが表示される。
【００４６】
次に、上述のような構成のテレビジョン放送受信装置１００のＲＲＴ更新動作について図５に示すフローチャートを参照しながら説明する。
まず、ＣＰＵ１２は、ＣＨ切替判断プログラム１４Ｄを実行することにより、リモコンＲから入力されるチャンネル切替を指示する操作信号の有無に基づいて、チャンネルが切り替えられたか否かを判断する（ステップＳ１）。
【００４７】
ステップＳ１において、ＣＰＵ１２が、チャンネルが切り替えられたと判断した場合には（ステップＳ１；Ｙｅｓ）、ステップＳ３に進む。
ステップＳ１において、ＣＰＵ１２が、チャンネルが切り替えられていないと判断した場合には（ステップＳ１；Ｎｏ）、ＣＰＵ１２は、番組切替判断プログラム１４Ｅを実行することにより、テレビジョン放送波に含まれる番組情報を参照して、番組が切り替えられたか否かを判断する（ステップＳ２）。
【００４８】
ステップＳ２において、ＣＰＵ１２が、番組が切り替えられていないと判断した場合には（ステップＳ２；Ｎｏ）、ステップＳ１に戻る。
ステップＳ２において、ＣＰＵ１２が、番組が切り替えられたと判断した場合には（ステップＳ２；Ｙｅｓ）、ＣＰＵ１２は、ＲＲＴ取得プログラム１４Ｃを実行することにより、検出部５を制御してＲＲＴを検出させ、検出されたＲＲＴを取得する（ステップＳ３）。
【００４９】
次に、ＣＰＵ１２は、バージョン比較プログラム１４Ｆを実行することにより、ＲＲＴ取得プログラム１４Ｃを実行することにより取得したＲＲＴのバージョンと、ＲＲＴデータファイル１４Ａに記憶されているＲＲＴのバージョンとが一致するか否かを判断する（ステップＳ４）。
【００５０】
ステップＳ４において、ＣＰＵ１２が、バージョン比較プログラム１４Ｆを実行することにより、ＲＲＴ取得プログラム１４Ｃを実行することにより取得したＲＲＴのバージョンと、ＲＲＴデータファイル１４Ａに記憶されているＲＲＴのバージョンとが一致しないと判断した場合には（ステップＳ４；Ｎｏ）、ステップＳ７に進む。
ステップＳ４において、ＣＰＵ１２が、バージョン比較プログラム１４Ｆを実行することにより、ＲＲＴ取得プログラム１４Ｃを実行することにより取得したＲＲＴのバージョンと、ＲＲＴデータファイル１４Ａに記憶されているＲＲＴのバージョンとが一致すると判断した場合には（ステップＳ４；Ｙｅｓ）、ＣＰＵ１２は、項目比較プログラム１４Ｇを実行することにより、ＲＲＴ取得プログラム１４Ｃを実行することにより取得したＲＲＴのレイティング項目，レイティング項目名，ブロックタイプと、ＲＲＴデータファイル１４Ａに記憶されているＲＲＴのレイティング項目，レイティング項目名，ブロックタイプとが一致するか否かを判断する（ステップＳ５）。
【００５１】
ステップＳ５において、ＣＰＵ１２が、ＲＲＴ取得プログラム１４Ｃを実行することにより取得したＲＲＴのレイティング項目，レイティング項目名，ブロックタイプと、ＲＲＴデータファイル１４Ａに記憶されているＲＲＴのレイティング項目，レイティング項目名，ブロックタイプとが一致しないと判断した場合には（ステップＳ５；Ｎｏ）、ステップＳ７に進む。
ステップＳ５において、ＣＰＵ１２が、ＲＲＴ取得プログラム１４Ｃを実行することにより取得したＲＲＴのレイティング項目，レイティング項目名，ブロックタイプと、ＲＲＴデータファイル１４Ａに記憶されているＲＲＴのレイティング項目，レイティング項目名，ブロックタイプとが一致すると判断した場合には（ステップＳ５；Ｙｅｓ）、ＣＰＵ１２は、レベル比較プログラム１４Ｈを実行することにより、ＲＲＴ取得プログラム１４Ｃを実行することにより取得したＲＲＴのレベル数，レベル名，レベル名の略称と、ＲＲＴデータファイル１４Ａに記憶されているＲＲＴのレベル数，レベル名，レベル名の略称とが一致するか否かを判断する（ステップＳ６）。
【００５２】
ステップＳ６において、ＣＰＵ１２が、ＲＲＴ取得プログラム１４Ｃを実行することにより取得したＲＲＴのレベル数，レベル名，レベル名の略称と、ＲＲＴデータファイル１４Ａに記憶されているＲＲＴのレベル数，レベル名，レベル名の略称とが一致しないと判断した場合には（ステップＳ６；Ｎｏ）、ＣＰＵ１２は、ＲＲＴ取得プログラム１４Ｃを実行することにより取得したＲＲＴと、ＲＲＴデータファイル１４Ａに記憶されているＲＲＴとが一致しないと判断し、ＲＲＴ更新プログラム１４Ｉを実行することにより、ＲＲＴデータファイル１４Ａに記憶されたＲＲＴを、ＲＲＴ取得プログラム１４Ｃを実行することにより取得したＲＲＴに更新する（ステップＳ７）。
【００５３】
次に、ＣＰＵ１２は、表示制御プログラム１４Ｊを実行することにより、表示部９を制御して、当該ＲＲＴに基づくレイティング情報を表示させる（ステップＳ８）。
【００５４】
ステップＳ６において、ＣＰＵ１２が、ＲＲＴ取得プログラム１４Ｃを実行することにより取得したＲＲＴのレベル数，レベル名，レベル名の略称と、ＲＲＴデータファイル１４Ａに記憶されているＲＲＴのレベル数，レベル名，レベル名の略称とが一致すると判断した場合には（ステップＳ６；Ｙｅｓ）、ＣＰＵ１２は、ＲＲＴ取得プログラム１４Ｃを実行することにより取得したＲＲＴと、ＲＲＴデータファイル１４Ａに記憶されているＲＲＴとが一致すると判断し（ステップＳ９）、本処理を終了する。
【００５５】
以上に説明した本発明の実施形態に係るテレビジョン放送受信装置１００によれば、ＲＲＴデータファイル１４Ａにより、レイティング情報に対応するＲＲＴが当該ＲＲＴのバージョンと対応付けられて記憶され、ＣＰＵ１２がＲＲＴ取得プログラム１４Ｃを実行することにより、テレビジョン放送波に含まれる視聴制限用のレイティングテーブルが取得され、ＣＰＵ１２がバージョン比較プログラム１４Ｆを実行することにより、ＲＲＴ取得プログラム１４Ｃを実行することにより取得したＲＲＴのバージョンと、ＲＲＴデータファイル１４Ａに記憶されているＲＲＴのバージョンとが比較され、ＣＰＵ１２がＲＲＴ更新プログラム１４Ｉを実行することにより、バージョン比較プログラム１４Ｆを実行することによって、ＲＲＴ取得プログラム１４Ｃを実行することにより取得したＲＲＴのバージョンと、ＲＲＴデータファイル１４Ａに記憶されているＲＲＴのバージョンとが一致しないと判断された場合、及び、バージョン比較プログラム１４Ｆを実行することによって、ＲＲＴ取得プログラム１４Ｃを実行することにより取得したＲＲＴのバージョンと、ＲＲＴデータファイル１４Ａに記憶されているＲＲＴのバージョンとが一致すると判断され、項目比較プログラム１４Ｇを実行することによって、ＲＲＴ取得プログラム１４Ｃを実行することにより取得したＲＲＴのレイティング項目数，レイティング項目名，ブロックタイプと、ＲＲＴデータファイル１４Ａに記憶されているＲＲＴのレイティング項目数，レイティング項目名，ブロックタイプとが一致しないと判断された場合、又は、レベル比較プログラム１４Ｈを実行することによって、ＲＲＴ取得プログラム１４Ｃを実行することにより取得したＲＲＴのレベル数，レベル名，レベル名の略称と、ＲＲＴデータファイル１４Ａに記憶されているＲＲＴのレベル数，レベル名，レベル名の略称とが一致しないと判断された場合に、ＲＲＴデータファイル１４Ａに記憶されたＲＲＴが、ＲＲＴ取得プログラム１４Ｃを実行することにより取得したＲＲＴに更新されるので、テレビジョン放送受信装置１００の電源を長期にわたって切っている間に、ＲＲＴが更新されて、バージョン番号が１周してしまった場合でも、ＲＲＴを更新することができることとなって、より確実にＲＲＴを更新することができる。
【００５６】
また、ＣＰＵ１２が項目比較プログラム１４Ｇを実行することにより、ＲＲＴ取得プログラム１４Ｃを実行することにより取得したＲＲＴのレイティング項目数，レイティング項目名，ブロックタイプと、ＲＲＴデータファイル１４Ａに記憶されているＲＲＴのレイティング項目数，レイティング項目名，ブロックタイプとが比較され、ＣＰＵ１２は、ＲＲＴ更新プログラム１４Ｉを実行することにより、項目比較プログラム１４Ｇを実行することにより、ＲＲＴ取得プログラム１４Ｃを実行することにより取得したＲＲＴのレイティング項目数，レイティング項目名，ブロックタイプと、ＲＲＴデータファイル１４Ａに記憶されているＲＲＴのレイティング項目数，レイティング項目名，ブロックタイプとが一致しないと判断された場合に、ＲＲＴデータファイル１４Ａに記憶されたＲＲＴを、ＲＲＴ取得プログラム１４Ｃを実行することにより取得したＲＲＴに更新するので、ＲＲＴの項目に関するデータが更新された場合にも、ＲＲＴを更新することができる。
【００５７】
また、ＣＰＵ１２がレベル比較プログラム１４Ｈを実行することにより、ＲＲＴ取得プログラム１４Ｃを実行することにより取得したＲＲＴのレベル数，レベル名，レベル名の略称と、ＲＲＴデータファイル１４Ａに記憶されているＲＲＴのレベル数，レベル名，レベル名の略称とが比較され、ＣＰＵ１２は、ＲＲＴ更新プログラム１４Ｉを実行することにより、レベル比較プログラム１４Ｈを実行することにより、ＲＲＴ取得プログラム１４Ｃを実行することにより取得したＲＲＴのレベル数，レベル名，レベル名の略称と、ＲＲＴデータファイル１４Ａに記憶されているＲＲＴのレベル数，レベル名，レベル名の略称とが一致しないと判断した場合に、ＲＲＴデータファイル１４Ａに記憶されたＲＲＴを、ＲＲＴ取得プログラム１４Ｃを実行することにより取得したＲＲＴに更新するので、ＲＲＴのレイティングレベルに関するデータが更新された場合にも、ＲＲＴを更新することができる。
【００５８】
また、ＣＰＵ１２が表示制御プログラム１４Ｊを実行することにより、ＲＲＴ更新プログラム１４Ｉを実行することによって、ＲＲＴデータファイル１４Ａに記憶されたＲＲＴがＲＲＴ取得プログラム１４Ｃを実行することにより取得したＲＲＴに更新された際に、表示部９に更新されたＲＲＴに基づくレイティング情報が表示され、リモコンＲにより、表示部９に表示されたレイティング情報に基づいて視聴制限情報を設定する設定情報が入力されるので、ＲＲＴが更新されると、ユーザがなんら操作することなく、更新されたＲＲＴに基づくレイティング情報が表示部９に表示されることとなり、当該表示において、視聴制限情報が設定することができるので、より使い勝手がよい。
【００５９】
なお、本発明のテレビジョン放送受信装置は、映像音声信号に基づく映像及び音声の視聴を制限するものであれば何であってもよく、例えば、デジタルテレビ、セットトップボックス等の放送受信装置でもよい。
また、ＣＰＵ１２による項目比較プログラム１４Ｇの実行と、レベル比較プログラム１４Ｈの実行は、本実施形態に記載された順序に限られず、レベル比較プログラム１４Ｈの実行が先に行われてもよい。また、項目比較プログラム１４Ｇとレベル比較プログラム１４Ｈのどちらか一方のみが行われるように構成してもよい。
【図面の簡単な説明】
【００６０】
【図１】本発明に係るテレビジョン放送受信装置の概略構成を示す図である。
【図２】本発明に係るテレビジョン放送受信装置の構成を示すブロック図である。
【図３】本発明に係るＲＲＴの一例を説明する図である。
【図４】本発明に係る表示部に表示されるＲＲＴに基づくレイティング情報の一例を示す図である。
【図５】本発明に係るテレビジョン放送受信装置のＲＲＴ更新動作の一例を説明するフローチャートである。
【符号の説明】
【００６１】
１  アンテナ（受信手段）
９  表示部
１２  ＣＰＵ（レイティングテーブル取得手段，バージョン比較手段，項目比較手段，レベル比較手段，情報比較手段，更新手段，表示制御手段）
１４  記憶部（記憶手段）
１４Ａ  ＲＲＴデータファイル（記憶手段）
１４Ｃ  ＲＲＴ取得プログラム（レイティングテーブル取得手段）
１４Ｆ  バージョン比較プログラム（バージョン比較手段）
１４Ｇ  項目比較プログラム（項目比較手段，情報比較手段）
１４Ｈ  レベル比較プログラム（レベル比較手段，情報比較手段）
１４Ｉ  ＲＲＴ更新プログラム（更新手段）
１４Ｊ  表示制御プログラム（表示制御手段）
１００  テレビジョン放送受信装置
Ｒ  リモコン（入力手段）
【図１】
2008109469.tif 000003
【図２】
2008109469.tif 000004
【図３】
2008109469.tif 000005
【図４】
2008109469.tif 000006
【図５】
2008109469.tif 000007